(57)【特許請求の範囲】
【請求項１】
撮像により得られたＲＡＷデータの現像処理を含む画像処理を実行する画像処理部を備えた画像処理装置、及び
前記ＲＡＷデータの優先度に関する優先度情報を取得する取得部と、
前記ＲＡＷデータを、前記取得部により取得された優先度が表す優先度が高い順で、複数の記憶装置に、当該記憶装置の転送速度が速い順で、記憶する制御を行う記憶制御部と、
を備えた情報処理装置
を含み、
前記複数の記憶装置は、前記画像処理装置に内蔵されている記憶装置、前記画像処理装置に装着された外部記憶装置、及び前記情報処理装置が備える記憶装置を含み、
前記画像処理装置に内蔵されている記憶装置、前記画像処理装置に装着された外部記憶装置、及び前記情報処理装置が備える記憶装置の順で転送速度が速い、
画像処理システム。
【請求項４】
前記情報処理装置は、前記記憶制御部による制御により前記複数の記憶装置の何れかに記憶されたＲＡＷデータの前記現像処理を含む画像処理を、前記画像処理装置に実行させる実行部を更に備えた
請求項１に記載の画像処理システム。
【請求項５】
前記ＲＡＷデータには、前記優先度情報として、前記ＲＡＷデータの使用頻度を表す情報が付加され、
前記記憶制御部は、前記使用頻度が高いほど前記優先度を高くして前記制御を行う
請求項１または請求項４に記載の画像処理システム。
【請求項６】
前記画像処理装置は、撮像部を備えた撮像装置であり、
前記ＲＡＷデータは、前記撮像部による撮像により得られたＲＡＷデータである
請求項１、請求項４、請求項５の何れか１項に記載の画像処理システム。
【請求項７】
撮像により得られたＲＡＷデータの現像処理を含む画像処理を実行する画像処理部を備えた画像処理装置と、情報処理装置とを含む画像処理システムによる画像処理方法であって、
前記ＲＡＷデータの優先度に関する優先度情報を取得し、
前記ＲＡＷデータを、取得された優先度が表す優先度が高い順で、複数の記憶装置に、当該記憶装置の転送速度が速い順で、記憶する制御を行い、
前記複数の記憶装置は、前記画像処理装置に内蔵されている記憶装置、前記画像処理装置に装着された外部記憶装置、及び前記情報処理装置が備える記憶装置を含み、
前記画像処理装置に内蔵されている記憶装置、前記画像処理装置に装着された外部記憶装置、及び前記情報処理装置が備える記憶装置の順で転送速度が速い、
画像処理方法。
【請求項８】
撮像により得られたＲＡＷデータの現像処理を含む画像処理を実行する画像処理部を備えた画像処理装置による前記現像処理の対象とするＲＡＷデータの優先度に関する優先度情報を取得する取得部と、
前記ＲＡＷデータを、前記取得部により取得された優先度が表す優先度が高い順で、複数の記憶装置に、当該記憶装置の転送速度が速い順で、記憶する制御を行う記憶制御部と、
を備えた情報処理装置であって、
前記複数の記憶装置は、前記画像処理装置に内蔵されている記憶装置、前記画像処理装置に装着された外部記憶装置、及び前記情報処理装置が備える記憶装置を含み、
前記画像処理装置に内蔵されている記憶装置、前記画像処理装置に装着された外部記憶装置、及び前記情報処理装置が備える記憶装置の順で転送速度が速い、
情報処理装置。
【発明の詳細な説明】
【技術分野】
【０００１】
本開示は、画像処理システム、画像処理方法、及び情報処理装置に関する。
【背景技術】
【０００２】
従来、ＲＡＷデータの現像処理を実行する端末装置に関する性能データに基づいて、複数の端末装置の各々により実行される現像処理の配分を規定したスケジュールテーブルを生成する情報処理装置が開示されている（特開２００７−１４２５５１号公報参照）。この情報処理装置は、生成したスケジュールテーブルに基づいて、ＲＡＷデータ及び現像処理の命令データを各端末装置に送信する。【０００３】
また、外部機器において設定された現像パラメータに基づいて、ＲＡＷデータに対して現像処理を行い、表示用の現像データを生成する撮像装置が開示されている（特開２０１５−３２８９０号公報参照）。【０００４】
また、可逆圧縮等の符号化が施された画像の復号頻度に応じて、原画像に対してイントラ符号化及びインター符号化の何れを行うかを切り替える技術が開示されている（特開２０１３−１６８８０９号公報参照）。
【先行技術文献】
【特許文献】
【０００５】
【特許文献１】特開２００７−１４２５５１号公報
【特許文献２】特開２０１５−３２８９０号公報
【特許文献３】特開２０１３−１６８８０９号公報
【発明の概要】
【発明が解決しようとする課題】
【０００６】
ＲＡＷデータの現像処理に用いられる現像パラメータの設定は、パーソナルコンピュータ等の情報処理装置を用いて行うことにより、ユーザにとっての利便性が向上する場合が多い。これは、情報処理装置が備える表示部は、ＲＡＷデータを生成する撮像装置が備える表示部よりも大画面である場合が多く、視認性が高いためである。【０００７】
一方、ＲＡＷデータの現像処理を、情報処理装置により実行する場合、ソフトウェア処理によって実行することになるため、現像処理に比較的長い時間がかかってしまう場合がある。これに対し、ＲＡＷデータの現像処理専用のハードウェアにより実現された画像処理部を有する撮像装置に、ＲＡＷデータの現像処理を実行させることによって、現像処理に費やされる時間を短縮することが考えられる。【０００８】
ＲＡＷデータの現像処理を上記画像処理部に実行させる場合、ＲＡＷデータの現像処理全体の処理時間には、画像処理部によるＲＡＷデータの現像処理の処理時間に加えて、ＲＡＷデータが記憶されている記憶装置から画像処理部までの転送時間が含まれる。この転送時間は、例えば、画像処理部を備える装置に内蔵されている記憶装置、及び画像処理部を備える装置とは別体の情報処理装置が備える記憶装置等のＲＡＷデータを記憶する記憶装置によって異なる。また、この転送時間が長いほど、ＲＡＷデータの現像処理全体の処理時間が長くなってしまう。【０００９】
特開２００７−１４２５５１号公報、特開２０１５−３２８９０号公報、特開２０１３−１６８８０９号公報では、現像処理の対象とするＲＡＷデータが、どの記憶装置に記憶されているかについては考慮されていない。なお、この問題は、撮像装置に限らずに、画像処理部を備える画像処理装置において発生し得るものである。【００１０】
本開示は、ＲＡＷデータの現像処理全体の処理時間を低減することができる画像処理システム、画像処理方法、及び情報処理装置を提供することを目的とする。
【課題を解決するための手段】
【００１１】
本開示の画像処理システムは、撮像により得られたＲＡＷデータの現像処理を含む画像処理を実行する画像処理部を備えた画像処理装置、及びＲＡＷデータの優先度に関する優先度情報を取得する取得部と、取得部により取得された優先度情報が表す優先度に応じて、ＲＡＷデータを異なる複数の記憶装置の何れかに記憶する制御を行う記憶制御部と、を備えた情報処理装置を含む。【００１２】
なお、本開示の画像処理システムは、複数の記憶装置が、画像処理装置に内蔵されている記憶装置、画像処理装置に装着された外部記憶装置、及び情報処理装置が備える記憶装置を含んでもよい。【００１３】
また、本開示の画像処理システムは、記憶制御部が、ＲＡＷデータを、優先度が高い順に、画像処理装置に内蔵されている記憶装置、画像処理装置に装着された外部記憶装置、及び情報処理装置が備える記憶装置の順に記憶する制御を行ってもよい。【００１４】
また、本開示の画像処理システムは、情報処理装置が、記憶制御部による制御により複数の記憶装置の何れかに記憶されたＲＡＷデータの現像処理を含む画像処理を、画像処理装置に実行させる実行部を更に備えてもよい。【００１５】
また、本開示の画像処理システムは、ＲＡＷデータには、優先度情報として、ＲＡＷデータの使用頻度を表す情報が付加され、記憶制御部が、使用頻度が高いほど優先度を高くして上記制御を行ってもよい。【００１６】
また、本開示の画像処理システムは、画像処理装置が、撮像部を備えた撮像装置であり、ＲＡＷデータが、撮像部による撮像により得られたＲＡＷデータであってもよい。【００１７】
本開示の画像処理方法は、撮像により得られたＲＡＷデータの現像処理を含む画像処理を実行する画像処理部を備えた画像処理装置と、情報処理装置とを含む画像処理システムによる画像処理方法であって、ＲＡＷデータの優先度に関する優先度情報を取得し、取得した優先度情報が表す優先度に応じて、ＲＡＷデータを異なる複数の記憶装置の何れかに記憶する制御を行うものである。【００１８】
本開示の情報処理装置は、撮像により得られたＲＡＷデータの現像処理を含む画像処理を実行する画像処理部を備えた画像処理装置による現像処理の対象とするＲＡＷデータの優先度に関する優先度情報を取得する取得部と、取得部により取得された優先度情報が表す優先度に応じて、ＲＡＷデータを異なる複数の記憶装置の何れかに記憶する制御を行う記憶制御部と、を備えている。【００１９】
本開示の情報処理装置は、コンピュータに実行させるための命令を記憶するメモリと、記憶された命令を実行するよう構成されたプロセッサとを備え、プロセッサは、撮像により得られたＲＡＷデータの現像処理を含む画像処理を実行する画像処理部を備えた画像処理装置による現像処理の対象とするＲＡＷデータの優先度に関する優先度情報を取得し、取得した優先度情報が表す優先度に応じて、ＲＡＷデータを異なる複数の記憶装置の何れかに記憶する制御を行う処理を実行する。
【発明の効果】
【００２０】
本開示によれば、ＲＡＷデータの現像処理全体の処理時間を低減することができる。
【図面の簡単な説明】
【００２１】
【図１】実施形態に係る画像処理システムの構成の一例を示すブロック図である。
【図２】実施形態に係る撮像装置のハードウェア構成の一例を示すブロック図である。
【図３】実施形態に係る情報処理装置のハードウェア構成の一例を示すブロック図である。
【図４】実施形態に係る転送時間テーブルの一例を示す図である。
【図５】実施形態に係る情報処理装置の機能的な構成の一例を示すブロック図である。
【図６】実施形態に係るＲＡＷデータの記憶先の変更を説明するための図である。
【図７】変形例に係るＲＡＷデータの記憶先の変更を説明するための図である。
【図８】実施形態に係る記憶制御処理の一例を示すフローチャートである。
【図９】実施形態に係る現像処理の一例を示すフローチャートである。
【発明を実施するための形態】
【００２２】
以下、図面を参照して、本開示を実施するための形態例を詳細に説明する。
【００２３】
まず、図１を参照して、本実施形態に係る画像処理システム１０の構成を説明する。図１に示すように、画像処理システム１０は、撮像装置１２及び情報処理装置１４を含む。撮像装置１２は、有線通信及び無線通信の少なくとも一方により情報処理装置１４に接続される。なお、撮像装置１２の例としてはデジタルカメラが挙げられ、情報処理装置１４の例としてはパーソナルコンピュータが挙げられる。また、撮像装置１２は画像処理装置の一例である。
【００２４】
次に、図２を参照して、本実施形態に係る撮像装置１２のハードウェア構成を説明する。図２に示すように、撮像装置１２は、ハードウェアプロセッサの一例であるＣＰＵ（Central Processing Unit）２０、一時記憶領域としてのメモリ２１、フラッシュメモリ等の撮像装置１２に内蔵された不揮発性の記憶装置２２、撮像部２３、及び画像処理部２４を含む。また、撮像装置１２は、液晶ディスプレイ等の表示部２５と、ダイヤル、レリーズボタン、十字キー、メニューキー、及びタッチパネル等の入力部２６と、情報処理装置１４に接続される外部Ｉ／Ｆ（InterFace）２７とを含む。また、撮像装置１２は、メモリカードスロット等の装着部２８を含み、装着部２８には、メモリカード等の外部記憶装置の一例である記憶装置２９が装着されている。ＣＰＵ２０、メモリ２１、記憶装置２２、撮像部２３、画像処理部２４、表示部２５、入力部２６、外部Ｉ／Ｆ２７、及び記憶装置２９は、バス３０に接続される。
【００２５】
撮像部２３は、ＣＣＤ（Charge Coupled Device）やＣＭＯＳ（Complementary Metal Oxide Semiconductor）イメージセンサ等の撮像素子を含み、撮像により得られたＲＡＷデータを出力する。ＲＡＷデータとは、ＪＰＥＧ（Joint Photographic Experts Group）形式又はＴＩＦＦ（Tagged Image File Format）形式等の画像データに変換するための画像処理を経ていないデータを表す。
【００２６】
画像処理部２４は、撮像部２３による撮像により得られたＲＡＷデータの現像処理を含む画像処理を実行する。本実施形態に係る画像処理部２４は、画像処理専用に設計された半導体集積回路等のハードウェアにより実現される。画像処理部２４は、ＲＡＷデータに対して現像処理を含む画像処理を実行することによって画像データを生成し、生成した画像データを記憶装置２２に記憶する。
【００２７】
本実施形態に係るＲＡＷデータには、ＲＡＷデータの優先度に関する優先度情報が付加されている。本実施形態では、優先度情報として、ＲＡＷデータの使用頻度を表す情報がＲＡＷデータに付加されている。詳細には、ＲＡＷデータの使用頻度を表す情報として、情報処理装置１４上で実行される、ＲＡＷデータの現像処理に用いられる現像パラメータを調整するためのソフトウェア（以下、「現像ソフトウェア」という）によるＲＡＷデータのプレビュー回数がＲＡＷデータに付加されている。なお、使用頻度を表す情報として、ＲＡＷデータの現像処理が行われた回数がＲＡＷデータに付加されていてもよい。
【００２８】
次に、図３を参照して、本実施形態に係る情報処理装置１４のハードウェア構成を説明する。図３に示すように、情報処理装置１４は、ＣＰＵ４０、一時記憶領域としてのメモリ４１、及び不揮発性の記憶装置４２を含む。また、情報処理装置１４は、液晶ディスプレイ等の表示部４３、キーボード及びマウス等の入力部４４、撮像装置１２が接続される外部Ｉ／Ｆ４５、及びネットワークに接続されるネットワークＩ／Ｆ４６を含む。ＣＰＵ４０、メモリ４１、記憶装置４２、表示部４３、入力部４４、外部Ｉ／Ｆ４５、及びネットワークＩ／Ｆ４６は、バス４７に接続される。
【００２９】
記憶装置４２は、ＨＤＤ（Hard Disk Drive）、ＳＳＤ（Solid State Drive）、及びフラッシュメモリ等によって実現される。記憶媒体としての記憶装置４２には、情報処理プログラム５０が記憶される。ＣＰＵ４０は、記憶装置４２から情報処理プログラム５０を読み出してからメモリ４１に展開し、展開した情報処理プログラム５０を実行する。
【００３０】
また、記憶装置４２には、転送時間テーブル５２が記憶される。図４に、転送時間テーブル５２の一例を示す。図４に示すように、本実施形態に係る転送時間テーブル５２には、記憶装置の種別毎に、その記憶装置から画像処理部２４へのデータの転送時間を表す情報が記憶される。本実施形態では、転送時間を表す情報として、各記憶装置の転送時間の順位を表す情報が転送時間テーブル５２に記憶される。図４の例では、撮像装置１２に内蔵された記憶装置２２（図４では、「撮像装置内蔵」と表記）が、転送時間が最も短く、情報処理装置１４が備える記憶装置４２（図４では、「情報処理装置内蔵」と表記）が、転送時間が最も長いことを表している。また、図４の例では、装着部２８に装着された、撮像装置１２外部の記憶装置２９（図４では、「撮像装置外部」と表記）の転送時間が２番目に短いことを表している。
【００３１】
なお、画像処理部２４への転送時間を表す情報は、図４の例に限定されず、各記憶装置から画像処理部２４へのデータの転送時間の長短が判別可能な情報であればよい。この場合、各記憶装置から画像処理部２４へのデータの転送時間をそれぞれ実測し、実測により得られた転送時間を転送時間テーブル５２に記憶する形態が例示される。
【００３２】
次に、図５を参照して、本実施形態に係る情報処理装置１４の機能的な構成について説明する。図５に示すように、情報処理装置１４は、取得部６０、記憶制御部６２、実行部６４、及び表示制御部６６を含む。
【００３３】
取得部６０は、記憶装置２２、記憶装置２９、及び記憶装置４２に記憶されているＲＡＷデータに付加された優先度情報を取得する。また、取得部６０は、撮像装置１２の画像処理部２４によって現像処理を含む画像処理が実行されて得られた画像データを、外部Ｉ／Ｆ４５を介して撮像装置１２から取得する。
【００３４】
記憶制御部６２は、取得部６０により取得された優先度情報が表す優先度に応じて、ＲＡＷデータを異なる複数の記憶装置２２、記憶装置２９、及び記憶装置４２の何れかに記憶する制御を行う。本実施形態では、記憶制御部６２は、転送時間テーブル５２を参照し、優先度が高いＲＡＷデータほど、画像処理部２４への転送時間が短い記憶装置に記憶する制御を行う。すなわち、本実施形態では、記憶制御部６２は、ＲＡＷデータを、優先度が高い順に、記憶装置２２、記憶装置２９、及び記憶装置４２の順に記憶する制御を行う。この際、記憶制御部６２は、ＲＡＷデータの使用頻度が高いほど優先度を高くして上記制御を行う。
【００３５】
詳細には、記憶制御部６２は、一例として図６に示すように、予め定められた２つの閾値ＴＨ１、ＴＨ２（ＴＨ１＜ＴＨ２）を用いて、使用頻度が閾値ＴＨ１未満のＲＡＷデータの優先度を「低」とする。また、記憶制御部６２は、使用頻度が閾値ＴＨ１以上閾値ＴＨ２未満のＲＡＷデータの優先度を「中」とし、使用頻度が閾値ＴＨ２以上のＲＡＷデータの優先度を「高」とする。
【００３６】
そして、記憶制御部６２は、優先度が「高」のＲＡＷデータを、各記憶装置のうち、画像処理部２４への転送時間が最も短い記憶装置２２に記憶する制御を行う。また、記憶制御部６２は、優先度が「中」のＲＡＷデータを、各記憶装置のうち、画像処理部２４への転送時間が２番目に短い記憶装置２９に記憶する制御を行う。また、記憶制御部６２は、優先度が「低」のＲＡＷデータを、各記憶装置のうち、画像処理部２４への転送時間が最も長い記憶装置４２に記憶する制御を行う。
【００３７】
なお、記憶制御部６２は、一例として図７に示すように、優先度が高いＲＡＷデータから順に、各記憶装置の残容量が所定値未満となるまで、画像処理部２４への転送時間が短い順で記憶装置２２、記憶装置２９、及び記憶装置４２に記憶する制御を行ってもよい。図７では、優先度の数値が小さいほどＲＡＷデータの優先度が高い例を示している。また、図７では、優先度が高い順に４つのＲＡＷデータを記憶装置２２に記憶した際に、記憶装置２２の残容量が所定値未満となった例を示している。また、図７では、残りの２つのＲＡＷデータを記憶装置２２の次に画像処理部２４への転送時間が短い記憶装置２９に記憶した例を示している。また、図７の例では、画像処理部２４への転送時間が最も長い記憶装置４２には、ＲＡＷデータが記憶されない。
【００３８】
実行部６４は、記憶制御部６２による制御により記憶装置２２、記憶装置２９、及び記憶装置４２に記憶されたＲＡＷデータの現像処理を含む画像処理を撮像装置１２に実行させる。本実施形態では、実行部６４は、ユーザが現像ソフトウェアを操作することによって選択されたＲＡＷデータの現像処理を含む画像処理を、設定された現像パラメータで撮像装置１２に実行させる。詳細には、実行部６４は、選択されたＲＡＷデータが記憶装置２２又は記憶装置２９に記憶されている場合、選択されたＲＡＷデータの識別情報、現像パラメータ、及び画像処理の実行指示を外部Ｉ／Ｆ４５を介して撮像装置１２に送信する。これにより、実行部６４は、ＲＡＷデータの現像処理を含む画像処理を撮像装置１２に実行させる。
【００３９】
一方、実行部６４は、選択されたＲＡＷデータが記憶装置４２に記憶されている場合、選択されたＲＡＷデータ、現像パラメータ、及び画像処理の実行指示を外部Ｉ／Ｆ４５を介して撮像装置１２に送信する。これにより、実行部６４は、ＲＡＷデータの現像処理を含む画像処理を撮像装置１２に実行させる。
【００４０】
表示制御部６６は、取得部６０により取得された、撮像装置１２の画像処理部２４によって現像処理を含む画像処理が実行されて得られた画像データが示す画像を表示部４３に表示する制御を行う。例えば、表示制御部６６は、画像データに対応するサムネイル画像を並べて表示部４３に表示する制御を行うことにより、画像データが示す画像の一覧を表示部４３に表示する制御を行う。
【００４１】
次に、図８及び図９を参照して、本実施形態に係る画像処理システム１０の作用、及び画像処理方法を説明する。情報処理装置１４のＣＰＵ４０が情報処理プログラム５０を実行することによって、図８に示す記憶制御処理、及び図９に示す現像処理が実行される。図８に示す記憶制御処理は、例えば、撮像装置１２が情報処理装置１４に接続され、かつ情報処理装置１４上で現像ソフトウェアが起動された場合に実行される。また、図９に示す現像処理は、例えば、現像ソフトウェア上で、ユーザにより現像処理の対象とするＲＡＷデータが選択され、現像パラメータが入力され、かつ現像処理の実行指示が入力された場合に実行される。なお、現像パラメータには、例えば、ダイナミックレンジ、ホワイトバランス、及びシャープネス等の画質に関するパラメータと、ＪＰＥＧ及びＴＩＦＦ等の現像処理後の画像データのフォーマット等が含まれる。
【００４２】
図８のステップＳ１０で、取得部６０は、記憶装置２２、記憶装置２９、及び記憶装置４２に記憶されているＲＡＷデータに付加された優先度情報を取得する。ステップＳ１２で、記憶制御部６２は、前述したように、ステップＳ１０の処理により取得された優先度情報が表す優先度に応じて、ＲＡＷデータを異なる複数の記憶装置２２、記憶装置２９、及び記憶装置４２の何れかに記憶する制御を行う。ステップＳ１２の処理が終了すると、記憶制御処理が終了する。
【００４３】
図９のステップＳ２０で、実行部６４は、前述したように、上記記憶制御処理によって記憶装置２２、記憶装置２９、及び記憶装置４２に記憶されたＲＡＷデータの現像処理を含む画像処理を撮像装置１２に実行させる。
【００４４】
ステップＳ２２で、取得部６０は、ステップＳ２０の処理により撮像装置１２の画像処理部２４によって現像処理を含む画像処理が実行されて得られた画像データを、外部Ｉ／Ｆ４５を介して撮像装置１２から取得する。ステップＳ２４で、表示制御部６６は、前述したように、ステップＳ２２の処理により取得された、撮像装置１２の画像処理部２４によって現像処理を含む画像処理が実行されて得られた画像データが示す画像を表示部４３に表示する制御を行う。ステップＳ２４の処理が終了すると、現像処理が終了する。
【００４５】
以上説明したように、本実施形態によれば、優先度が高いＲＡＷデータほど、画像処理部２４への転送時間が短い記憶装置に記憶される。また、ユーザにとっての優先度が高いＲＡＷデータほど現像処理が行われる可能性が高い。従って、ＲＡＷデータの転送時間が低減される結果、ＲＡＷデータの現像処理全体の処理時間を低減することができる。
【００４６】
なお、上記実施形態では、ＲＡＷデータの現像処理を含む画像処理を実行する画像処理装置として、撮像装置を適用した場合について説明したが、これに限定されない。ＲＡＷデータの現像処理を含む画像処理を実行する画像処理装置として、画像処理部２４を有する撮像装置以外の装置を適用してもよい。
【００４７】
また、上記実施形態では、ＲＡＷデータの優先度に関する優先度情報として、ＲＡＷデータの使用頻度を表す情報を適用した場合について説明したが、これに限定されない。例えば、優先度情報として、ＲＡＷデータの撮影日時を適用してもよい。この場合、撮影日時が現在に近いほど、優先度を高くする形態が例示される。また、ＲＡＷデータの優先度をユーザが付与する形態としてもよい。
【００４８】
また、上記実施形態における記憶制御処理の実行タイミングは、現像処理の実行後でもよい。この場合、次に現像処理を実行する場合に、ＲＡＷデータの転送時間が低減される結果、ＲＡＷデータの現像処理全体の処理時間を低減することができる。
【００４９】
また、上記実施形態において、情報処理装置１４に複数の撮像装置１２が接続されてもよい。この場合、例えば、画像処理部２４への転送時間が同じ記憶装置については、ＲＡＷデータを、優先度が高い順に、現像処理を含む画像処理の処理性能が高い撮像装置１２の記憶装置から順に記憶する形態が例示される。
【００５０】
また、上記実施形態において、情報処理装置１４が、内蔵ＳＳＤ、内蔵ＨＤＤ、及び外付けＨＤＤ等の複数の記憶装置を備えていてもよい。この場合、例えば、転送速度が速い順番である内蔵ＳＳＤ、内蔵ＨＤＤ、及び外付けＨＤＤの順に、優先度が高いＲＡＷデータを記憶する形態が例示される。
【００５１】
また、上記実施形態において、例えば、取得部６０、記憶制御部６２、実行部６４、及び表示制御部６６といった各種の処理を実行する処理部（processing unit）のハードウェア的な構造としては、次に示す各種のプロセッサ（processor）を用いることができる。上記各種のプロセッサには、前述したように、ソフトウェア（プログラム）を実行して各種の処理部として機能する汎用的なプロセッサであるＣＰＵに加えて、ＦＰＧＡ（Field  Programmable Gate Array）等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【００５２】
１つの処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip：SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００５３】
更に、これらの各種のプロセッサのハードウェア的な構造としては、より詳細には、半導体素子などの回路素子を組み合わせた電気回路（circuitry）を用いることができる。
【００５４】
また、上記実施形態では、情報処理プログラム５０が記憶装置４２に予め記憶（インストール）されている態様を説明したが、これに限定されない。情報処理プログラム５０は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の非一時的記録媒体に記録された形態で提供されてもよい。また、情報処理プログラム５０は、ネットワークを介して外部装置からダウンロードされる形態としてもよい。
【００５５】
本願は２０１８年６月２９日出願の日本出願第２０１８−１２５１３２号の優先権を主張すると共に、その全文を参照により本明細書に援用する。
【図１】
0006826238.tif 000002
【図２】
0006826238.tif 000003
【図３】
0006826238.tif 000004
【図４】
0006826238.tif 000005
【図５】
0006826238.tif 000006
【図６】
0006826238.tif 000007
【図７】
0006826238.tif 000008
【図８】
0006826238.tif 000009
【図９】
0006826238.tif 000010